(57)【要約】【課題】制御基板を基板ケースごと不正改造品に交換された場合に不正行為を確実に検知できる不正行為防止装置を提供する。【解決手段】不正行為防止装置１００では、蛍光色素を添加した透明樹脂材料により制御基板の基板ケース３１を形成するとともに、蛍光色素を励起する励起光を基板ケース３１に照射する光源装置１１０と、励起光が照射された基板ケースにおける蛍光を検出する光検出器１２０と、光源装置１１０から基板ケース３１に向けて励起光を照射させ光検出器において蛍光が検出されるか否かを判断する判断部１５４と、判断部において蛍光が検出されないと判断されたときに警報作動する警報手段１５５とを備えて構成される。【選択図】図１
2008154898.tif 000002
【特許請求の範囲】
【請求項１】
遊技機の作動を制御する制御基板と、透明な樹脂材料により形成され前記制御基板を収容保持して前記遊技機に取り付けられる基板ケースとを備えた遊技機の不正行為防止装置であって、
蛍光色素を添加した透明樹脂材料により前記基板ケースを形成するとともに、
前記蛍光色素を励起する励起光を前記基板ケースに照射する光源装置と、
前記励起光が照射された前記基板ケースにおける蛍光を検出する光検出器と、
前記光源装置から前記基板ケースに向けて前記励起光を照射させ、当該照射に応じた蛍光が前記光検出器において検出されるか否かを判断する判断手段と、
前記判断手段において前記照射に応じた蛍光が検出されないと判断されたときに警報作動する警報手段とを備えたことを特徴とする遊技機の不正行為防止装置。
【請求項２】
前記判断手段が、前記遊技機の起動時に前記判断を行うように構成したことを特徴とする請求項１に記載の遊技機の不正行為防止装置。
【請求項３】
前記制御基板は、開閉可能な扉状部材と当該扉状部材の開閉状態を検出する開閉検出器とを有する前記遊技機の機体内部に取り付けられ、
前記判断手段は前記開閉検出器において前記扉状部材の閉鎖が検出されたときに前記判断を行うように構成したことを特徴とする請求項１または請求項２に記載の遊技機の不正行為防止装置。
【請求項４】
前記光検出器は、前記基板ケースに添加された前記蛍光色素の蛍光による発光波長の光を選択的に検出するように構成したことを特徴とする請求項１から請求項３のいずれか一項に記載の遊技機の不正行為防止装置。
【請求項５】
前記光源装置は、前記基板ケースに添加された前記蛍光色素の吸収スペクトル帯域の波長の光を選択的に出射するように構成したことを特徴とする請求項１から請求項４のいずれか一項に記載の遊技機の不正行為防止装置。
【請求項６】
前記光源装置に、前記基板ケースに添加された前記蛍光色素の吸収スペクトル帯域の波長の光を透過し、前記蛍光色素の発光スペクトル帯域の波長の光を遮断するバンドパスフィルタを備えることを特徴とする請求項５に記載の遊技機の不正行為防止装置。
【発明の詳細な説明】
【技術分野】
【０００１】
本発明は、遊技機の作動を制御する制御基板と、透明な樹脂材料により形成され制御基板を収容保持して遊技機に取り付けられる基板ケースとを備えた遊技機の不正行為防止装置に関する。
【背景技術】
【０００２】
パチンコ機やスロットマシン等の遊技機では、遊技機の作動を制御する制御基板に対する不正行為を防止して公正な遊技に供するため、制御基板に何らかの不正行為がなされたとき、例えば、遊技プログラムを改ざんした不正ＲＯＭに交換されたり、基板の裏面側にいわゆるジャンパ線を飛ばして不正回路を付加したり等の不正改造が行われたときに、その状態を外部から目視検査できるように透明な基板ケースに収容された状態で遊技機に取り付けられている。
【０００３】
そして、制御基板に実装されたＲＯＭについては、ホログラム技術を利用した封印シールや、層間剥離による不可逆性の封印シールをＲＯＭを跨いで基板面に貼付し、遊技施設の係員が基板ケースを透視して封印シールの貼付状態を目視確認することで、ＲＯＭの不正交換が行われたか否かを検査し得るようになっている。また基板ケースの構造に関しては、基板ケースの一部を壊さなければケースを開けることができない（制御基板にアクセスできない）構造のロック機構を視認容易な部位に複数設け、遊技施設の係員がロック機構の状態を目視確認することにより、不正行為の有無を検査し得るように構成された不正開放防止機構が種々提案され、実用に供されている（例えば、特許文献１、特許文献２を参照）。
【０００４】
【特許文献１】特許第３６９３１１３号公報
【特許文献２】特開２００３−３４０１２５号公報
【発明の開示】
【発明が解決しようとする課題】
【０００５】
しかしながら、近年では不正行為者側の偽造技術が高度化しており、上記のような従来の不正行為防止対策では、制御基板を基板ケースごと不正改造品に交換された場合に、この不正行為を検知することが難しいという課題があった。
【０００６】
例えば、封印シールについては、不正行為者側の偽造印刷技術が高度化し、遊技施設の係員が封印シールを見ても、そのシールの真贋を正確に判断することが困難になってきている。基板ケースに関しても、正規の基板ケースをコピーして製作した偽造基板ケースと不正改造された制御基板とを組み合わせて、ロック機構が未開封状態の基板アッセンブリに交換された場合には、遊技施設の係員がロック機構を詳細に目視検査しても不正を検知することができない。また、予め不正取得した基板アッセンブリに対して、比較的検知されにくい基板ケースの裏面側から細いドリルや焼きごて等によりロック機構を壊して不正改造を行い、外見上は未開封品と相違がないようにロック機構を偽装した基板アッセンブリに交換された場合、遊技機に取り付けられた状態の基板ケースを遊技施設の係員が目視確認しても、日常点検の範囲内でロック機構の偽装を検知することが困難になっている。このような不正行為は、後になってホールコンピュータの集計値から異常に気づき、基板アッセンブリを遊技機から取り外した詳細検査によって発見されるケースが多く、不正行為に基づく損害の発生を未然に防止することができないという課題があった。
【０００７】
本発明はこのような課題に鑑みてなされたものであり、制御基板を基板ケースごと不正改造品に交換された場合に、この不正行為を確実に検知することができる不正行為防止装置を提供するとともに、更に進んで不正行為に基づく損害の発生を未然に防止し得る遊技機の不正行為防止装置を提供することを目的とする。
【課題を解決するための手段】
【０００８】
上記課題を解決して目的を達成するため、本発明は、遊技機（例えば、実施形態におけるパチンコ機ＰＭ）の作動を制御する制御基板（例えば、実施形態における主制御基板３０、払出制御基板４０等）と、透明な樹脂材料により形成され制御基板を収容保持して遊技機に取り付けられる基板ケースとを備えた遊技機の不正行為防止装置である。この不正行為防止装置では、蛍光色素を添加した透明樹脂材料により基板ケースを形成するとともに、蛍光色素を励起する励起光を基板ケースに照射する光源装置と、励起光が照射された基板ケースにおける蛍光を検出する光検出器と、光源装置から基板ケースに向けて励起光を照射させ当該照射に応じた蛍光が光検出器において検出されるか否かを判断する判断手段（例えば、実施形態における判断部１５４）と、判断手段において照射に応じた蛍光が検出されないと判断されたときに警報作動する警報手段（例えば、実施形態における警報出力部１５５、及びパチンコ機ＰＭの画像表示装置１２、電飾装置１５、スピーカ１６等）とを備えて構成される。
【０００９】
本発明において、判断手段が、遊技機の起動時に上記判断を行うように構成することが好ましい。
【００１０】
本発明において、制御基板は開閉可能な扉状部材（例えば、実施形態における前枠２、スロットマシンにおけるフロントマスク等）と当該扉状部材の開閉状態を検出する開閉検出器とを有する遊技機の機体内部に取り付けられ、判断手段は開閉検出器において扉状部材の閉鎖が検出されたときに前記判断を行うように構成することも好ましい。
【００１１】
なお、光検出器は、基板ケースに添加された蛍光色素の蛍光による発光波長の光を選択的に検出するように構成することが望ましい。
【００１２】
また、光源装置は基板ケースに添加された蛍光色素の吸収スペクトル帯域の波長の光を選択的に出射するように構成することが好ましく、光源装置に蛍光色素の吸収スペクトル帯域の波長の光を透過し蛍光色素の発光スペクトル帯域の波長の光を遮断するバンドパスフィルタを備えることが望ましい。
【発明の効果】
【００１３】
本発明に係る遊技機の不正行為防止装置では、基板ケースが蛍光色素を添加した透明樹脂材料により形成され、判断手段において、光源装置から基板ケースに向けて照射された励起光に応じた蛍光が光検出器において検出されるか否かが判断され、蛍光が検出されないと判断されたときに警報手段により警報作動が行われる。ここで、本明細書における「警報作動」とは、遊技機に設けられた電飾装置や画像表示装置を点滅させたり警告！の文字または図形を点滅表示させる等の視覚上の警報作動、遊技機のスピーカから警報音を発生させる聴覚上の警報作動のほか、遊技機を構成する各部（例えばパチンコ機における遊技球発射装置や球払出装置等、スロットマシンにおけるリールユニットやメダル払出装置等）の作動を規制する規制作動を含み、さらに外部出力端子に出力する警報信号に基づく遊技島における視覚・聴覚上の警報作動や、遊技施設の管理室における同様の警報作動を含む概念である。
【００１４】
すなわち、光検出器において蛍光が検出されるのは、規定の蛍光色素が添加された基板ケースが取り付けられている場合に限られ、蛍光色素を含まない基板ケースでは蛍光による発光を生じないため異常と判断されて警報作動が行われる。従って、本発明によれば、外観上正規品と差異が無く、または巧妙な偽装により日常の目視点検では検知することが困難な不正改造品に対しても、かかる不正行為を確実に検知することができる。
【００１５】
本発明において、判断手段が、遊技機の起動時に上記異常判断を行うような構成によれば、不正行為者により基板ケースに収容された制御基板（基板アッセンブリ）が正規品から不正改造品に交換されて以降、遊技機を起動したときに警報作動がなされるため、不正改造された制御基板による不公正な遊技が開始される以前に防止され、不正行為に基づく損害の発生を未然に防止することができる。
【００１６】
また本発明において、判断手段が、開閉検出器において扉状部材の閉鎖が検出されたときに異常判断を行うように構成によれば、不正行為者により基板アッセンブリが正規品から不正改造品に交換され扉状部材が閉鎖されたときに警報作動がなされる。このため、例えば、遊技施設の係員が扉状部材を開放した状態で呼び出し等により席を外した隙に不正改造品に交換されたような場合であっても、扉状部材の閉鎖時に警報作動がなされ、不正行為に基づく損害の発生を未然に防止することができる。
【００１７】
なお、光検出器は、基板ケースに添加された蛍光色素の蛍光による発光波長の光を選択的に検出するような構成によれば、基板ケースにおける蛍光以外の光による誤作動を防止することができ、不正行為の検出精度を向上させることができる。
【００１８】
なお、光源装置が基板ケースに添加された蛍光色素の吸収スペクトル帯域の波長の光を選択的に出射するような構成によれば、蛍光色素を効率的に励起することができるとともに、吸収スペクトル帯域以外の光の出射を抑制することにより、基板ケースや周辺の部品からの反射光及び拡散光による誤検出の発生を抑制して不正行為の検出精度を向上させることができる。また、蛍光色素の吸収スペクトル帯域の波長の光を透過し発光スペクトル帯域の波長の光を遮断するバンドパスフィルタを設けた構成によれば、白色光源や可視光領域を含む近紫外領域のランプなどの比較的安価な光源を用いた簡明な構成で上記同様に不正行為の検出精度を向上させることができる。
【００１９】
従って、本発明によれば、制御基板が基板ケースごと不正改造品に交換されたような場合に、この不正行為を確実に検知することができる不正行為防止装置を提供することができ、更に不正行為に基づく損害の発生を未然に防止し得る遊技機の不正行為防止装置を提供することができる。
【発明を実施するための最良の形態】
【００２０】
以下、図面を参照して本発明の好ましい実施形態について説明する。本発明を適用した遊技機の一例としてパチンコ機ＰＭの正面図及び背面図をそれぞれ図２及び図３に示しており、以下、この図を参照してパチンコ機ＰＭの全体構成について概要説明する。
【００２１】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００２２】
前枠２の前面側では、前側面域に合わせた方形状のガラス扉５および球皿ユニット６が正面左側部に設けられたヒンジ機構７ａ，７ｂ，７ｃを利用して横開き開閉および着脱が可能に組付けられ、常には施錠装置４を利用して閉鎖状態に保持される。球皿ユニット６の右側下部には遊技球の発射操作を行う発射ハンドル８が設けられている。前枠２の上部には、遊技盤１０を前方から着脱可能に収容保持する収容枠が前枠２に一体成型されており、この収容枠に所定のゲージ設定で構成された遊技盤１０が着脱可能にセット保持される。遊技盤１０の前面には内外の案内レールに囲まれて遊技球が転動可能な遊技領域ＰＡが形成され、ここに多数本の遊技釘が打設されるとともに、画像表示装置１２、各種の入賞装置１３などが設けられて、常には閉鎖保持されるガラス扉５を通して遊技者に臨ませるようになっている。ガラス扉５及び遊技盤１０の各部には、遊技展開を視覚的に演出するＬＥＤやランプ等の電飾装置１５が設けられ、球皿ユニット６の奥部には効果音を発生するスピーカ１６が設けられている。
【００２３】
前枠２の裏面側には、裏セット盤と称される機構セット盤２０が取り付けられており、ここに、球貯留タンク２１や球払出装置２２などの賞球の払出機構、遊技球を発射する遊技球発射装置、遊技盤１０から排出されたセーフ球やアウト球等の遊技済み球を遊技施設の回収装置に導く遊技済み球排出機構などの各種球処理機構が設けられている。また、遊技盤１０及び裏セット盤２０の後面側の各部には、パチンコ機ＰＭの作動を統括的に制御する主制御基板３０、主制御基板３０における遊技展開状況に応じて遊技盤１０に設けられた画像表示装置の作動を制御する画像制御基板３５、主制御基板３０からの指令信号に基づいて球払出装置の作動を制御する払出制御基板４０、発射ハンドル８からの操作信号に応じて遊技球発射装置の作動を制御する発射制御基板４５、主電源スイッチを有しパチンコ機内の各部に電源を供給する電源基板４６、パチンコ機ＰＭの種々の情報を基体外部に出力するターミナル基板４７などが取り付けられ、これらがコネクタケーブルで接続されてパチンコ機ＰＭが作動可能に構成される。なお、前枠２には、外枠１に対する前枠２の開閉状態を検出する開閉検出器９（図２及び図３において不図示、図１を参照）が設けられており、その検出信号が後述するコントロールユニット１５０に入力されている。
【００２４】
このように概要構成されるパチンコ機ＰＭにあって、主制御基板３０、画像制御基板３５、払出制御基板４０、発射制御基板４５等の各制御基板は、制御基板に対する不正な改造を抑制するとともに、不正改造が行われた場合でも外部からその状態を目視検査できるように透明な樹脂材料で成型された基板ケースに収容された状態でパチンコ機に取り付けられている。また主制御基板３０や払出制御基板４０の基板ケースには基板ケースの一部を破断しなければケースを開けることができない構造の複数のロック機構からなる不正開放防止機構５０が視認容易な部位に設けられている。
【００２５】
ここで、これらの制御基板３０，４０を収容保持する基板ケースの形態、及び基板ケースに設けられた不正開放防止機構５０の構成については、本出願人による特許文献１，２等に詳細に開示されており既に公知である。そこで、本明細書においてはこれらの詳細説明を省略するが、以降の説明の理解容易のため、主制御基板３０を例として基板ケース３１及び不正開放防止機構５０について簡潔に説明する。
【００２６】
図４に閉鎖された状態の基板ケース(ａ)と、閉鎖されたケースの一部（連結部）を切断して開封した状態の基板ケース(ｂ)とを示すように、基板ケース３１は、大別的にはケース本体部材３１Ｂとケース蓋部材３１Ｃとからなり、互いの左端側に設けられたヒンジ部において揺動開閉可能に枢結され、ケース蓋部材３１Ｃにネジ固定された主制御基板３０が閉鎖姿勢においてケース内部に収容保持される。不正開放防止機構５０は複数（図において４箇所）のロック機構からなり、各ロック機構はケース本体部材３１Ｂ及びケース蓋部材３１Ｃの互いの右側端部に設けられた本体側係合部５１ｂ及び蓋側係合部５１ｃと、これらの間にロック方向またはアンロック方向に装着される接続部材５２などから構成される。
【００２７】
そして、一箇所の本体側係合部５１ｂ（工場出荷時には一番下側の本体側係合部）に接続部材５２をロック方向に装着して基板ケースを閉じたときに、接続部材５２のロック爪が本体側係合部５１ｂ及び蓋側係合部５１ｃの内部で拡開嵌合してケース本体部材３１Ｂとケース蓋部材３１Ｃとを連結固定し、基板ケース３１が閉鎖状態に保持される。この閉鎖状態ではケース蓋部材と蓋側係合部５１ｃとを繋ぐ薄片状の連結部５３をニッパ等により切断しなければ基板ケースを開放することができず、一旦開放すると切断痕が残るようになっている。なお、接続部材５２をアンロック方向に装着した場合には、接続部材５２のロック爪は本体側係合部５１ｂ及び蓋側係合部５１ｃの内部で嵌合することなく弾性的に保持される。
【００２８】
パチンコ機ＰＭでは、上記不正開放防止機構５０に加えて、蛍光色素の蛍光を利用した不正行為防止装置が設けられている。不正行為防止装置１００のブロック図を図１に示し、この不正行為防止装置１００における光源装置及び光検出器の基本構成を図５に示す。不正行為防止装置１００は、所定の蛍光色素を添加した透明樹脂材料により基板ケース３１を形成するとともに、蛍光色素を励起する励起光を基板ケース３１（ケース本体部材３１Ｂ）に照射する光源装置１１０と、基板ケース３１における蛍光を検出する光検出器１２０と、光源装置１１０に励起光を出射させ光検出器１２０から入力される検出信号に基づいた制御を行うコントロールユニット１５０などから構成される。
【００２９】
ここで、「蛍光」について簡単に説明すると、この現象は、励起光の照射により光エネルギーを吸収して電子的に励起状態（励起一重項状態(Ｓ1)）にされた分子が、無放射減衰により励起状態における最も低いエネルギー順位に落ちた後、さらに電子基底状態(Ｓ0)に遷移する過程でエネルギー差を光として放出する現象であり、励起一重項状態(Ｓ1)から電子スピンの偏向により励起三重項状態(Ｔ1)を経て電子基底状態(Ｓ0)に遷移する過程で放射される燐光と区別される。蛍光を発生する分子は種々知られており、例えば、ローダミンＢやピラニン、フルオレセイン、キニーネなどの蛍光色素が、蛍光分光分析や病理学的な免疫染色などに広く用いられている。
【００３０】
不正行為防止装置１００では、これらの公知の蛍光色素のうち、少なくともいずれかを透明な樹脂材料、例えばＡＢＳやポリカーボネート（ＰＣ）等の樹脂材料に添加して、射出成型等の成形手段により基板ケース３１（ケース本体部材３１Ｂ）を一体形成したものであり、外観視における性状は、これらの色素を添加していない従来の基板ケースと同一である。
【００３１】
光源装置１１０は、励起光を基板ケース３１に照射してドープされた蛍光色素を励起するための励起源である。上記蛍光の発光メカニズムから理解されるように、蛍光色素は一定の波長範囲に励起効率が高い吸収スペクトル帯域を有しており、例えば、赤色（橙色）の蛍光を発生するローダミンＢでは500〜570nm、緑色の蛍光を発生するフルオレセインでは450〜500nm、青色の蛍光を発生するペリレンでは390〜440nm程度の各波長帯域に吸収スペクトル帯域を有している。
【００３２】
そして、励起光が上記吸収スペクトル帯域の波長を含むものであれば蛍光色素を励起することができ、蛍光を生じさせることができる。このため、励起源としての光源装置１１０は、蛍光色素の吸収スペクトル帯域を含む光を照射可能なものであればよく、可視光領域から紫外領域までを含む広帯域の光源、例えばメタルハライドランプや冷陰極管等、あるいは可視光領域のランプと紫外領域のランプとを併設して構成することができる。
【００３３】
光検出器１２０は、光源装置１１０により励起光が照射された基板ケース３１における蛍光を検出する。蛍光のメカニズムから、蛍光の発光スペクトルは励起光の波長よりも長波長となり、上記したように各蛍光色素とも可視光領域である。従って、光検出器は蛍光色素の発光スペクトル帯域を含む可視光領域の光を検出可能であれば良く、例えば、フォトダイオードやフォトトランジスタ、ＣＣＤ等を用いて構成することができる。
【００３４】
ここで、上記のように共にスペクトル帯域が広い広帯域の光源装置１１０及び光検出器１２０を用いた場合に、光検出器１２０を励起光の反射光軸上に配置すると、基板ケース３１からの反射光の影響を受け得る。一方、蛍光は分子の励起状態の遷移により発生することから蛍光による発光は基板ケース背面からの拡散光となる。そこで図５に示す不正行為防止装置では、光源装置１１０から基板ケース３１に入射する励起光の入射角αと、基板ケース３１の法線Ｂに対する光検出器１２０の検出光軸のなす角度βとを異なる角度とし（反射光の光軸から光検出器の光軸を外して光検出器１２０を配設し）基板ケース３１からの反射光が直接光検出器１２０に入射しないように構成している。これにより基板ケース３１からの反射光による誤検出を抑制して蛍光の有無を検出することができる。
【００３５】
コントロールユニット１５０は、光源装置１１０に励起光を出射させ光検出器１２０から入力される検出信号に基づいた制御を行う制御装置である。このコントロールユニット１５０は、図１に示すように、光源制御部１５１、記憶部１５２、判断部１５４、警報出力部１５５などを備えて構成される。コントロールユニット１５０には、光検出器１２０から検出信号が入力されている。
【００３６】
光源制御部１５１は、光源装置１１０の作動を制御する制御部であり、所定の検査タイミングにおいて光源装置１１０に作動信号を出力して光源装置１１０から励起光を出射させる。記憶部１５２には、パチンコ機ＰＭに適正な基板ケース３１が取り付けられた状態で光源装置１１０から励起光が照射され、基板ケース３１の被照射部において蛍光が発生したときに、光検出器１２０において検出されるべき光強度の検出信号の値（基準信号値）が、蛍光色素の添加率の変動や光源装置１１０の光強度のばらつき、光強度の安定度等を考慮した所定の幅を有して予め記憶されている。
【００３７】
判断部１５４は、光源制御部１５１から光源装置１１０に作動信号が出力された状態において、光検出器１２０から入力される検出信号の値と記憶部１５２に予め設定記憶された基準信号値とを比較する。そして、検出信号値が基準信号値の範囲内にある場合には、適正な基板ケースが装着されており正常であると判断する。一方、検出信号値が基準信号値の範囲外である場合には、適正な基板ケースが装着されておらず異常があると判断する。警報出力部１５５は、判断部１５４において正常であると判断されたときには警報信号を出力せず、パチンコ機ＰＭを通常どおり作動させる。一方、判断部１５４において異常があると判断されたときには警報信号を出力して警報作動させる。
【００３８】
警報作動には、種々の作動形態があるが、例えばパチンコ機ＰＭの電飾装置１５を点滅させたり、遊技盤１０の中央部に設けられた画像表示装置１２に警告！の文字または図形等を反転表示させるなど、視覚的に異常を報知する警報作動、パチンコ機ＰＭに設けられた効果音発生用のスピーカ１６から警報音を発生させるような聴覚的に異常を報知する警報作動、パチンコ機ＰＭの遊技球発射装置や球払出装置２２等の作動を規制することで遊技の実行を阻止し異常を報知する警報作動などのうち、少なくともいずれかの警報作動が行われる。また警報出力部１５５は、ターミナル基板４７の外部出力端子に警報信号を出力する。遊技施設では、この警報信号を利用して遊技島に設けられたランプやスピーカに視覚・聴覚上の警報作動を行わせ、遊技施設の管理室に設けられたランプやスピーカ、ホールコンピュータ等に同様の警報作動を行わせることができる。
【００３９】
このような構成の不正行為防止装置１００では、光源制御部１５１が所定の検査タイミングで光源装置１１０に作動信号を出力して光源装置１１０から励起光を出射させ、判断部１５４が光検出器１２０から入力される検出信号の値と記憶部１５２に設定記憶された基準信号の値とを比較して検出信号の値が基準信号の値の範囲内にあるか否かを判断する。そして判断部１５４において検出信号値が基準信号値の範囲内にあると判断された場合、すなわち基板ケース３１において所定強度の蛍光が検出された場合には、警報出力部１５５は警報信号を出力することなくパチンコ機ＰＭを通常どおり作動させる。一方、検出信号値が基準信号値の範囲外である場合、すなわちに所定強度の蛍光が検出されなかった場合には、適正な基板ケースが装着されていない（異常がある）と判断して警報出力部１５５が警報信号を出力して上述したような警報作動を行わせる。
【００４０】
このため、遊技施設の係員は警報作動の有無によって適正な主制御基板が装着されているか否かを判断することができ、たとえ外観上正規の主制御基板のアッセンブリと差異が無い不正改造品に対しても、かかる不正行為を確実に検知することができる。
【００４１】
なお、上記「所定の検査タイミング」については種々の設定が可能であるが、例えば、電源基板４６において主電源スイッチがＯＮとされ、電源基板４６から起動信号が入力されたとき（一定の遅延時間設定を含む）を検査タイミングとして設定することができる。主制御基板３０の交換は、この基板に接続されたコネクタケーブルの着脱によるショートや主制御基板に実装された半導体素子の損傷を防止するため、主電源スイッチを一旦ＯＦＦにしてコネクタの端子間に電位差が無くなった状態で行わなければならない。検査タイミングをパチンコ機の起動時とした設定によれば、不正行為者により主制御基板３０が基板ケース３１ごと不正改造品に交換されて以降、パチンコ機ＰＭを起動したときに警報作動がなされる。このため、不正改造が遊技施設の営業時間中に行われた場合はもとより、遊技施設の係員が不在の深夜に行われたような場合であっても、パチンコ機を起動した直後、すなわちパチンコ機が未だ不正改造された主制御基板での遊技に供される以前に、異常があることを検知することができ、不正行為に基づく損害の発生を未然に防止することができる。
【００４２】
また上記所定の検査タイミングを、パチンコ機の前枠２に設けた開閉検出器９の検出信号から、前枠２が外枠１に閉鎖されたときに設定することもできる。主制御基板３０を交換するためには、遊技島に固定された外枠１に対して前枠２を開放しなければならず、遊技は前枠２を外枠１に閉鎖施錠した状態で行われる。検査タイミングを前枠２の閉鎖時とした設定によれば、不正行為者により主制御基板３０を基板ケース３１ごと不正改造品に交換したのち、前枠２が閉鎖されたときに警報作動がなされる。このため、例えば、遊技施設の係員が前枠２を開放した状態で呼び出し等により席を外した隙に不正改造品に交換されたような場合や、不正行為者が密かに前枠２を開放して不正改造品に交換したような場合であっても、前枠２を閉鎖したときに警報作動がなされる。従って、遊技施設の係員は、前枠２の閉鎖直後、すなわち不正改造された主制御基板３０での遊技に供される以前に、異常があることを検知することができ、不正行為に基づく損害の発生を未然に防止することができる。
【００４３】
さて、以上では、光源装置１１０及び光検出器１２０について、共にスペクトルが広帯域の光源及び光検出器をそのまま用いた構成例を示したが、以降では、検出精度を向上させた光源装置及び光検出器の構成について説明する。図６に他の実施形態の光源装置１１０′の構成を示しており、この光源装置１１０′は励起光を出射する光源１１１と、光源から出射された励起光を集光するレンズ１１２とから構成される。
【００４４】
本構成の光源装置１１０′では、光源１１１から出射された励起光がレンズ１１２により集光されて基板ケース３１に照射される。基板ケース３１に対する蛍光色素の添加率が一定の場合、蛍光の発光強度は、飽和強度に至るまでは励起光の光強度に比例する。従って励起光をレンズ１１２により一定のスポット径に集光し、基板ケース３１に照射される励起光のパワー密度を増加させることにより、蛍光の発光強度（輝度）を増大させることができる。従って、このような構成によれば、光検出器１２０において検出される蛍光の発光強度を増加させることでＳ／Ｎ比を向上させることができ、不正行為防止装置１００の検出精度を向上させることができる。
【００４５】
なお、上記光源装置１１０′において、光源１１１は、前述した光源装置１１０と同様の広帯域のランプ等を用いることができるが、基板ケース３１に添加した蛍光色素の吸収スペクトル帯域の光を選択的に出射する光源を用いて構成することができる。具体的には、蛍光色素としてローダミンＢを選択した場合には510〜560nmの波長帯域に発光分布を有する黄緑色の波長選択型ＬＥＤや波長選択型の蛍光管を用い、蛍光色素としてフルオレセインを選択した場合には、490nmを中心として470〜500nmに発光分布を有する青色の波長選択型ＬＥＤや近紫外のＵＶランプを用い、蛍光色素としてペリレンを添加した場合には390〜410nmに発光分布を有する紫外領域のＵＶランプ（紫外線ランプ）を用いて構成する。このような蛍光色素の吸収スペクトルに対応した発光波長の光源を用いれば、基板ケース３１に添加された蛍光色素の励起効率を高めることができ、不正行為防止装置１００による検出精度をより向上させることができる。
【００４６】
次に、図７にさらに他の光源装置１１０″及び光検出器１２０′の構成例を示す。この光源装置１１０は、上述したと同様の光源１１１及びレンズ１１２に加えて、光源装置の出口部に、蛍光色素の吸収スペクトル帯域の光を透過し、蛍光色素の発光スペクトル帯域の光を遮断するバンドパスフィルタ１１３を設けて構成している。このような構成によれば、基板ケース３１に照射される励起光から蛍光色素の発光スペクトル帯域の成分光が除去されて蛍光色素の吸収スペクトル帯域の光が選択的に出射される。従って基板ケース３１や周辺の部品（主制御基板３０の基板面や実装部品等）からの反射光及び拡散光による誤検出の発生を抑制することができ、これにより不正行為の検出精度を高めることができる。またバンドパルフィルタ１１３を用いることにより特定波長の光源のみならず、広帯域の白色光源や可視光領域を含む近紫外領域のランプなど比較的安価な光源を用いて構成することができる。また、蛍光色素に応じた波長帯域のバンドパスフィルタ１１３を選択使用することで、蛍光色素に対応した不正行為防止装置を簡単に構成することできるため、例えば基板ケースに添加する蛍光色素を変更した場合でも、これに応じてバンドパスフィルタ１１３を変更すれば良く、光源１１１の共通化を図ることができる。
【００４７】
光検出器１２０′は、光検出素子１２１とレンズ１２２、バンドパスフィルタ１２３を備えて構成される。光検出素子１２１は、バンドパスフィルタ１２３を透過した波長帯域の光を検出可能な検出素子を用いることができ、例えば前述したフォトディテクタやフォトトランジスタ、ＣＣＤ等の可視光領域の一般的なディテクタを用いることができる。レンズ１２２は、基板ケース３１からこの光検出器に入射する光を光検出素子１２１に集光する集光レンズであり、これにより光検出素子１２１に入射される光を小径化すると共にパワー密度を増加させることができ、これにより小型の検出素子で高速高精度に蛍光を検出することができる。そして、この光検出器１２０′では、入射部に蛍光による発光波長の帯域の光のみを選択的に透過するバンドパスフィルタが設けられており、蛍光以外のスペクトル帯域の光が遮断される。すなわち、光検出器１２０′においては、蛍光色素の蛍光による発光波長の光が選択的に検出される。
【００４８】
このような構成によれば、基板ケース３１や周辺の部品（主制御基板３０の基板面や実装部品等）からの反射光及び拡散光が光検出器１２０′に入射したとしても、この検出器の入口に設けられたバンドパスフィルタ１２３により蛍光以外の成分光が遮断され、蛍光色素の発光スペクトル成分の光のみがレンズ１２２により光検出素子１２１に集光されて検出される。従って、正規の基板ケース３１において発生する蛍光を高速高精度に検出することができるとともに、光検出器周の外来光の影響や、改造基板ケースに励起光を反射または拡散させるシールを貼付して光検出器に検出させ、異常が無いように偽装する不正行為をも確実に防止して不正行為の検出精度を更に高めた高精度の不正行為防止装置を得ることができる。また、蛍光色素に応じた波長帯域のバンドパスフィルタ１２３を選択使用することで、蛍光色素に対応した不正行為防止装置を簡単に構成することができるため、基板ケースに添加する蛍光色素を変更した場合でも、これに応じてバンドパスフィルタ１２３を変更すれば良く、光検出素子１２１の共通化を図ることができる。
【００４９】
なお、基板ケース３１に添加する蛍光色素は、適宜な区切りで変更することが不正行為防止を推進するうえで好ましい。例えば、外見上の形態が同一の基板ケース３１について、パチンコ機ＰＭの機種、バージョン、生産ロット、あるいは生産月などの適宜な区切りで基板ケース３１に添加する蛍光色素を変更し、光源装置や光検出器にバンドパスフィルタ１１３，１２３を設けた構成の場合には、蛍光色素の変更に合わせてこれらのバンドパスフィルタ１１３，１２３を変更して不正行為防止装置１００を構成する。このような構成によれば、蛍光色素が添加されていない不正改造品のみならず、たとえ不正行為者が蛍光色素を添加した基板ケースを入手したとしても異なる蛍光色素の基板ケースに対して異常判断されることとなり、不正行為の検出精度を保持することができる。またこのような構成を適用することにより、たとえ蛍光色素を添加した基板ケースを複製できたとしても不正事実の発覚する確率が高くなるため、不正行為防止装置１００による抑止効果を相乗的に高めることができる。
【００５０】
なお、以上説明した実施形態では、本発明に係る不正行為防止装置を、パチンコ機ＰＭの主制御基板３０に適用した事例について説明したが、本発明は、画像制御基板３５や払出制御基板４０等の他の制御基板、種別の異なる他の遊技機、例えばアレンジボール機や雀球遊技機、スロットマシン等に取り付けられた制御基板についても同様に適用し同様の効果を得ることができる。
【図面の簡単な説明】
【００５１】
【図１】本発明に係る不正行為防止装置の構成を示すブロック図である。
【図２】本発明を適用した遊技機の一例として示すパチンコ機の正面図である。
【図３】上記パチンコ機の背面図である。
【図４】本発明が適用される制御基板の基板ケースについて閉鎖された状態の基板ケース(ａ)と、開封した状態の基板ケース(ｂ)とを例示する斜視図である。
【図５】本発明に係る不正行為防止装置における光源装置及び光検出器の基本構成を示す説明図である。
【図６】上記光源装置の他の構成例を示す説明図である。
【図７】上記光源装置及び光検出器の更に他の構成例を示す説明図である。
【符号の説明】
【００５２】
ＰＭ  パチンコ機（遊技機）
２  前枠（扉状部材）
９  開閉検出器
１２  画像表示装置（警報手段）
１５  電飾装置（警報手段）
１６  スピーカ（警報手段）
３０  主制御基板
３１  基板ケース
１００  不正行為防止装置
１１０，１１０′，１１０″  光源装置
１１１  光源
１１２  レンズ
１１３  バンドパスフィルタ
１２０，１２０′  光検出器
１２１  光検出素子
１２２  レンズ
１２３  バンドパスフィルタ
１５０  コントロールユニット
１５１  光源制御部
１５２  記憶部
１５４  判断部（判断手段）
１５５  警報出力部（警報手段）
【図１】
2008154898.tif 000003
【図２】
2008154898.tif 000004
【図３】
2008154898.tif 000005
【図４】
2008154898.tif 000006
【図５】
2008154898.tif 000007
【図６】
2008154898.tif 000008
【図７】
2008154898.tif 000009